(57)【要約】【課題】  フォーカスエラー信号の検出感度を適正に低下させ、光ディスクの厚みが変動したような場合でも正確にフォーカスエラー信号を検出できるようにする。【解決手段】  受光素子３５の受光領域に対する光スポットの大きさは、ホログラム素子３２の光束分離領域の面積に反比例し、スポット径が小さいほど感度が高くなり、スポット径が大きいほど感度が低くなることから、２つのフォーカスエラー信号用受光領域ａ，ｂに対応付けられるフォーカスエラー信号用の光束分離領域を単一ではなくＥ〜Ｊのように複数に分割して設けることで、当該ホログラム素子３２を光ピックアップ装置に搭載した場合、フォーカスエラー信号用受光領域ａ，ｂ上の光スポットの径を大きくし、フォーカスエラー信号の検出感度を低下させることができ、よって、光ディスクの厚みが変動したような場合でも正確にフォーカスエラー信号を検出することができる。【選択図】    図４
2005100478.tif 000002
【特許請求の範囲】
【請求項１】
光ディスクからの反射光を入射光と分離して少なくとも４つの受光領域に分割された受光素子の各受光領域に導くための光束分離素子であって、
分離光が２つのフォーカスエラー信号用受光領域に対応付けられる複数のフォーカスエラー信号用の光束分離領域と、
分離光が２つ以上のプッシュプル信号用受光領域に対応付けられる２つのプッシュプル信号用の光束分離領域と、
を備えることを特徴とする光束分離素子。
【請求項２】
前記プッシュプル信号用の２つの光束分離領域は、光スポットが前記光ディスクの情報トラック中心上にある状態においてそのトラック方向に対応する方向に沿って、分離される光束中心を通る分割線により２つに分割されている、ことを特徴とする請求項１記載の光束分離素子。
【請求項３】
前記フォーカスエラー信号用の複数の光束分離領域は、前記トラック方向に直交するラジアル方向に対応する方向に沿って複数に分割されている、ことを特徴とする請求項２記載の光束分離素子。
【請求項４】
前記フォーカスエラー信号用の複数の光束分離領域は、分離される光束中心から放射状に分割配列されている、ことを特徴とする請求項３記載の光束分離素子。
【請求項５】
前記フォーカスエラー信号用の複数の光束分離領域は、分離される光束中でプッシュプル信号成分を含まない領域に対応させた光束分離領域と、プッシュプル信号成分を含む領域を各々２分する光束分離領域とに分割されている、ことを特徴とする請求項１ないし４の何れか一記載の光束分離素子。
【請求項６】
前記フォーカスエラー信号用の光束分離領域は、分離される光束中心周りの反射光の入射を受け付ける範囲を含んで設定されている、ことを特徴とする請求項１ないし５の何れか一記載の光束分離素子。
【請求項７】
前記フォーカスエラー信号用の複数の光束分離領域は、前記プッシュブル信号用の２つの光束分離領域用の前記分割線を中心に対称となるように分割されている、ことを特徴とする請求項２ないし６の何れか一記載の光束分離素子。
【請求項８】
当該素子は、各光束分離領域毎に分離光の方向が格子溝により規定されるホログラム素子よりなる、ことを特徴とする請求項１ないし７の何れか一記載の光束分離素子。
【請求項９】
情報トラックを有する光ディスク上に光スポットを形成するための光を出射する光源と、
２つのフォーカスエラー信号用受光領域と２つ以上のプッシュプル信号用受光領域との少なくとも４つの受光領域に分割された受光素子と、
前記光ディスクからの反射光を前記光源からの入射光と分離して前記受光素子に導く請求項１ないし７の何れか一記載の光束分離素子と、
を備えることを特徴とする光源ユニット。
【請求項１０】
前記光束分離素子中の前記フォーカスエラー信号用の複数の光束分離領域による全ての分離光は、フォーカス状態において前記受光素子中の２つの前記フォーカスエラー信号用受光領域の分割線を跨いでこれらの２つの前記フォーカスエラー信号用受光領域で受光されるように対応付けられている、ことを特徴とする請求項９記載の光源ユニット。
【請求項１１】
前記光束分離素子中の前記フォーカスエラー信号用の光束分離領域は奇数個に分割され、これらの光束分離領域のうち隣接する光束分離領域による分離光は、フォーカス状態において前記受光素子中の２つの前記フォーカスエラー信号用受光領域の分割線を中心に交互に同距離ずれた位置で受光されるように対応付けられている、ことを特徴とする請求項９記載の光源ユニット。
【請求項１２】
前記光束分離素子中の前記フォーカスエラー信号用の光束分離領域による分離光は、ラジアル方向に対称な領域毎に前記受光素子中の２つの前記フォーカスエラー信号用受光領域の分割線に対して同一方向にずれるように設定されている、ことを特徴とする請求項１１記載の光源ユニット。
【請求項１３】
前記光束分離素子中の前記フォーカスエラー信号用の光束分離領域のうちで中央の光束分離領域による分離光は、フォーカス状態において前記受光素子中の２つの前記フォーカスエラー信号用受光領域の分割線上で受光されるように設定されている、ことを特徴とする請求項１１又は１２記載の光源ユニット。
【請求項１４】
光を出射する光源と、
この光源から出射された光を、情報トラックを有する光ディスク上に集光させて光スポットを形成する対物レンズと、
２つのフォーカスエラー信号用受光領域と２つ以上のプッシュプル信号用受光領域との少なくとも４つの受光領域に分割された受光素子と、
前記光ディスクからの反射光を前記光源からの入射光と分離して前記受光素子に導く請求項１ないし７の何れか一記載の光束分離素子と、
を備えることを特徴とする光ピックアップ装置。
【請求項１５】
前記光束分離素子中の前記フォーカスエラー信号用の複数の光束分離領域による全ての分離光は、フォーカス状態において前記受光素子中の２つの前記フォーカスエラー信号用受光領域の分割線を跨いでこれらの２つの前記フォーカスエラー信号用受光領域で受光されるように対応付けられている、ことを特徴とする請求項１４記載の光ピックアップ装置。
【請求項１６】
前記光束分離素子中の前記フォーカスエラー信号用の光束分離領域は奇数個に分割され、これらの光束分離領域のうち隣接する光束分離領域による分離光は、フォーカス状態において前記受光素子中の２つの前記フォーカスエラー信号用受光領域の分割線を中心に交互に同距離ずれた位置で受光されるように対応付けられている、ことを特徴とする請求項１４記載の光ピックアップ装置。
【請求項１７】
前記光束分離素子中の前記フォーカスエラー信号用の光束分離領域による分離光は、ラジアル方向に対称な領域毎に前記受光素子中の２つの前記フォーカスエラー信号用受光領域の分割線に対して同一方向にずれるように設定されている、ことを特徴とする請求項１６記載の光ピックアップ装置。
【請求項１８】
前記光束分離素子中の前記フォーカスエラー信号用の光束分離領域のうちで中央の光束分離領域による分離光は、フォーカス状態において前記受光素子中の２つの前記フォーカスエラー信号用受光領域の分割線上で受光されるように設定されている、ことを特徴とする請求項１６又は１７記載の光ピックアップ装置。
【請求項１９】
請求項９ないし１３の何れか一記載の光源ユニットと、
この光源ユニット中の光源から出射された光を、情報トラックを有する光ディスク上に集光させて光スポットを形成する対物レンズと、
を備えることを特徴とする光ピックアップ装置。
【請求項２０】
請求項１４ないし１９の何れか一記載の光ピックアップ装置を搭載したことを特徴とする光ディスク装置。
【発明の詳細な説明】
【技術分野】
【０００１】
本発明は、光束分離素子、光源ユニット、光ピックアップ装置及び光ディスク装置に関する。
【背景技術】
【０００２】
従来、光ディスク装置に搭載されている光ピックアップ装置の光学系構成としては、図１４に示すようなものがある。半導体レーザ１０１から出射された光束は、ホログラム素子１０２を通過した後、コリメートレンズ１０３により平行光とされ、さらに対物レンズ１０４を介して光ディスク１０５の記録面上に集光照射される。光ディスク１０５からの反射光は、対物レンズ１０４、コリメートレンズ１０３を再び通過した後、ホログラム素子１０２にも入射し、このホログラム素子１０２による回折により入射光と分離して受光素子１０６に導き、この受光素子１０６により受光することにより、光ディスク１０５上の情報を再生したり、各種信号を検出するようにしている。
【０００３】
ここに、ホログラム素子１０２と受光素子１０６との構成及び対応について図１５を参照して説明する。なお、これらの図１４，図１５において、光ディスク１０５のトラック方向に対応した方向を「トラック方向」、光ディスク１０５の半径方向又はシーク動作やトラックジャンプ動作により光ディスク１０５上の光スポットが移動する方向に対応した方向を「ラジアル方向」として示す。トラック方向とラジアル方向とは直交する。
【０００４】
まず、図１５（ａ）はホログラム素子１０２の分割構造と当該ホログラム素子１０２上での光ディスク１０５からの反射光１０７の様子を平面図的に示す模式図である。ホログラム素子１０２は２つの分割線１０２ａ，１０２ｂによりＡＢ，Ｃ，Ｄで示す３つの光束分離領域に分割されている。反射光１０７のうち、斜線を施して示す部分（斜線部分）はプッシュプル信号成分を含む部分を示している。このようなホログラム素子１０２の原理及び詳細は、例えば特許文献１等により公知であるので、説明を省略する。
【０００５】
図１５（ｂ）は受光素子１０６の分割構造と当該受光素子１０６上での光ディスク１０５からの反射光１０７の様子を平面図的に示す模式図である。受光素子１０６はフォーカス信号用受光領域ａ，ｂと、プッシュプル信号用受光領域ｃ，ｄとの４つの受光領域に分割されている。ここに、ホログラム素子１０２の各光束分割領域ＡＢ，Ｃ，Ｄにより回折により分離された光束が到達する受光領域との関係は、
光束分割領域ＡＢからの回折光は、受光領域ａ，ｂの間
光束分割領域Ｃからの回折光は、受光領域ｃ
光束分割領域Ｄからの回折光は、受光領域ｄ
に各々受光されるように設定されている。
【０００６】
いま、各受光領域ａ〜ｄから出力される信号を同じａ〜ｄの記号を用いて、フォーカスエラー信号ＦＥＳ，プッシュプル信号ＰＰＳ、情報再生信号ＲＦＳの各信号を表現すると、
ＦＥＳ＝ａ−ｂ
ＰＰＳ＝ｃ−ｄ
ＲＦＳ＝ａ＋ｂ＋ｃ＋ｄ
と表すことができる。
【０００７】
【特許文献１】特公平４−３０１３号公報
【特許文献２】特開平５−４６９８９号公報
【特許文献３】特開平４−２１９３０号公報
【発明の開示】
【発明が解決しようとする課題】
【０００８】
この場合、フォーカスエラー信号ＦＥＳは、特許文献２等により公知なように、いわゆるフーコー法という方式による検出方法である。フーコー法の場合、受光素子１０６上の反射光１０７の直径が数μｍ程度しかないため、調整が難しかったり、フォーカス検出感度が高すぎる場合がある。また、フォーカス検出感度の調整ができないという欠点もある。
【０００９】
例えば、図１５のような構成によるフォーカスエラー信号の場合、ピーク（最大値）を１としたときのフォーカスずれに対するフォーカスエラー信号比を表すと、図１６に示すように、受光素子１０６上のスポット径が小さいための感度が高いものとなっている。この結果、例えば装置の組付け誤差や光ディスク１０５の基板厚誤差などにより０．５μｍの誤差があるとすると、フォーカスは０．５μｍずれた位置で合焦することとなり、図１６に示すような特性の場合、既にフォーカスエラー信号比は０．７程度となり、ピーク値の１．０まで約０．３程度のマージン（ずれ量にして約０．２μｍ）しかなく、通常のフォーカシング動作によりフォーカス外れが起こってしまうこととなる。これでは、通常の再生又は記録動作に支障が生じてしまう。
【００１０】
これらの欠点を補うために、例えば特許文献３等により提案されているように、反射光に球面収差を与えたり、集光点を光軸方向にずらしたりすることで、フォーカスエラー信号の感度を適正化する方法がある。しかし、この方法を用いた場合、例えば光ディスクの厚みが変動した場合には対処できず、フォーカスエラー信号に誤差が生じてしまうことが判明したものである。
【００１１】
本発明の目的は、フォーカスエラー信号の検出感度を適正に低下させることができ、光ディスクの厚みが変動したような場合でも正確にフォーカスエラー信号を検出することができるようにすることである。
【００１２】
併せて、フォーカスエラー信号の検出感度を適正に低下させることができ、多少の組付け誤差等があっても簡単にフォーカス外れを生じないようにすることを目的とする。
【課題を解決するための手段】
【００１３】
請求項１記載の発明は、光ディスクからの反射光を入射光と分離して少なくとも４つの受光領域に分割された受光素子の各受光領域に導くための光束分離素子であって、分離光が２つのフォーカスエラー信号用受光領域に対応付けられる複数のフォーカスエラー信号用の光束分離領域と、分離光が２つ以上のプッシュプル信号用受光領域に対応付けられる２つのプッシュプル信号用の光束分離領域と、を備える。
【００１４】
請求項２記載の発明は、請求項１記載の光束分離素子において、前記プッシュプル信号用の２つの光束分離領域は、光スポットが前記光ディスクの情報トラック中心上にある状態においてそのトラック方向に対応する方向に沿って、分離される光束中心を通る分割線により２つに分割されている。
【００１５】
請求項３記載の発明は、請求項２記載の光束分離素子において、前記フォーカスエラー信号用の複数の光束分離領域は、前記トラック方向に直交するラジアル方向に対応する方向に沿って複数に分割されている。
【００１６】
請求項４記載の発明は、請求項３記載の光束分離素子において、前記フォーカスエラー信号用の複数の光束分離領域は、分離される光束中心から放射状に分割配列されている。
【００１７】
請求項５記載の発明は、請求項１ないし４の何れか一記載の光束分離素子において、前記フォーカスエラー信号用の複数の光束分離領域は、分離される光束中でプッシュプル信号成分を含まない領域に対応させた光束分離領域と、プッシュプル信号成分を含む領域を各々２分する光束分離領域とに分割されている。
【００１８】
請求項６記載の発明は、請求項１ないし５の何れか一記載の光束分離素子において、前記フォーカスエラー信号用の光束分離領域は、分離される光束中心周りの反射光の入射を受け付ける範囲を含んで設定されている。
【００１９】
請求項７記載の発明は、請求項１ないし６の何れか一記載の光束分離素子において、前記フォーカスエラー信号用の複数の光束分離領域は、前記プッシュブル信号用の２つの光束分離領域用の前記分割線を中心に対称となるように分割されている。
【００２０】
請求項８記載の発明は、請求項１ないし７の何れか一記載の光束分離素子において、当該素子は、各光束分離領域毎に分離光の方向が格子溝により規定されるホログラム素子よりなる。
【００２１】
請求項９記載の発明の光源ユニットは、情報トラックを有する光ディスク上に光スポットを形成するための光を出射する光源と、２つのフォーカスエラー信号用受光領域と２つ以上のプッシュプル信号用受光領域との少なくとも４つの受光領域に分割された受光素子と、前記光ディスクからの反射光を前記光源からの入射光と分離して前記受光素子に導く請求項１ないし７の何れか一記載の光束分離素子と、を備える。
【００２２】
請求項１０記載の発明は、請求項９記載の光源ユニットにおいて、前記光束分離素子中の前記フォーカスエラー信号用の複数の光束分離領域による全ての分離光は、フォーカス状態において前記受光素子中の２つの前記フォーカスエラー信号用受光領域の分割線を跨いでこれらの２つの前記フォーカスエラー信号用受光領域で受光されるように対応付けられている。
【００２３】
請求項１１記載の発明は、請求項９記載の光源ユニットにおいて、前記光束分離素子中の前記フォーカスエラー信号用の光束分離領域は奇数個に分割され、これらの光束分離領域のうち隣接する光束分離領域による分離光は、フォーカス状態において前記受光素子中の２つの前記フォーカスエラー信号用受光領域の分割線を中心に交互に同距離ずれた位置で受光されるように対応付けられている。
【００２４】
請求項１２記載の発明は、請求項１１記載の光源ユニットにおいて、前記光束分離素子中の前記フォーカスエラー信号用の光束分離領域による分離光は、ラジアル方向に対称な領域毎に前記受光素子中の２つの前記フォーカスエラー信号用受光領域の分割線に対して同一方向にずれるように設定されている。
【００２５】
請求項１３記載の発明は、請求項１１又は１２記載の光源ユニットにおいて、前記光束分離素子中の前記フォーカスエラー信号用の光束分離領域のうちで中央の光束分離領域による分離光は、フォーカス状態において前記受光素子中の２つの前記フォーカスエラー信号用受光領域の分割線上で受光されるように設定されている。
【００２６】
請求項１４記載の発明の光ピックアップ装置は、光を出射する光源と、この光源から出射された光を、情報トラックを有する光ディスク上に集光させて光スポットを形成する対物レンズと、２つのフォーカスエラー信号用受光領域と２つ以上のプッシュプル信号用受光領域との少なくとも４つの受光領域に分割された受光素子と、前記光ディスクからの反射光を前記光源からの入射光と分離して前記受光素子に導く請求項１ないし７の何れか一記載の光束分離素子と、を備える。
【００２７】
請求項１５記載の発明は、請求項１４記載の光ピックアップ装置において、前記光束分離素子中の前記フォーカスエラー信号用の複数の光束分離領域による全ての分離光は、フォーカス状態において前記受光素子中の２つの前記フォーカスエラー信号用受光領域の分割線を跨いでこれらの２つの前記フォーカスエラー信号用受光領域で受光されるように対応付けられている。
【００２８】
請求項１６記載の発明は、請求項１４記載の光ピックアップ装置において、前記光束分離素子中の前記フォーカスエラー信号用の光束分離領域は奇数個に分割され、これらの光束分離領域のうち隣接する光束分離領域による分離光は、フォーカス状態において前記受光素子中の２つの前記フォーカスエラー信号用受光領域の分割線を中心に交互に同距離ずれた位置で受光されるように対応付けられている。
【００２９】
請求項１７記載の発明は、請求項１６記載の光ピックアップ装置において、前記光束分離素子中の前記フォーカスエラー信号用の光束分離領域による分離光は、ラジアル方向に対称な領域毎に前記受光素子中の２つの前記フォーカスエラー信号用受光領域の分割線に対して同一方向にずれるように設定されている。
【００３０】
請求項１８記載の発明は、請求項１６又は１７記載の光ピックアップ装置において、前記光束分離素子中の前記フォーカスエラー信号用の光束分離領域のうちで中央の光束分離領域による分離光は、フォーカス状態において前記受光素子中の２つの前記フォーカスエラー信号用受光領域の分割線上で受光されるように設定されている。
【００３１】
請求項１９記載の発明の光ピックアップ装置は、請求項９ないし１３の何れか一記載の光源ユニットと、この光源ユニット中の光源から出射された光を、情報トラックを有する光ディスク上に集光させて光スポットを形成する対物レンズと、を備える。
【００３２】
請求項２０記載の発明の光ディスク装置は、請求項１４ないし１９の何れか一記載の光ピックアップ装置を搭載している。
【発明の効果】
【００３３】
本発明によれば、受光素子の受光領域に対する光スポットの大きさは、光束分離素子の光束分離領域の面積に反比例し、スポット径が小さいほど感度が高くなり、スポット径が大きいほど感度が低くなることから、２つのフォーカスエラー信号用受光領域に対応付けられるフォーカスエラー信号用の光束分離領域を単一ではなく複数に分割して設けることで、当該光束分離素子を光ピックアップ装置に搭載した場合、フォーカスエラー信号用受光領域上の光スポットの径を大きくし、フォーカスエラー信号の検出感度を低下させることができ、よって、光ディスクの厚みが変動したような場合でも正確なフォーカスエラー信号の検出に供することができ、かつ、多少の組付け誤差等があっても簡単にフォーカス外れを生じないようにさせることができる。
【発明を実施するための最良の形態】
【００３４】
本発明を実施するための最良の形態について、図１ないし図１３に基づいて説明する。まず、本発明が適用される光ディスク装置及び対象となる光ディスク等について、その概略を説明する。
【００３５】
対象となる光ディスクは、特に制約はないが、その一例を挙げると、ＤＶＤ−ＲＡＭ・ＷＯ、ＤＶＤ−Ｒ、ＤＶＤ＋ＲとＤＶＤ−ＲＡＭ、ＤＶＤ−ＲＷ、ＤＶＤ＋ＲＷ等の記録可能な媒体である。前者のＤＶＤ−ＲＡＭ・ＷＯ、ＤＶＤ−Ｒ、ＤＶＤ＋Ｒは、１回だけ書込みが可能な追記型ＤＶＤである（なお、ＤＶＤ Write Onceともいわれている）。また、後者のＤＶＤ−ＲＡＭ、ＤＶＤ−ＲＷ、ＤＶＤ＋ＲＷは、複数回の書込みが可能な書換え型ＤＶＤである。これらのＤＶＤ＋ＲやＤＶＤ＋ＲＷ等の光ディスクは、図１に示すような光ディスク装置によって情報の記録再生が行われる。
【００３６】
図１は、ＤＶＤ対応の光ディスク装置について、その要部構成の一例を示す機能ブロック図である。図において、１は光ディスク、２はスピンドルモータ、３は光ピックアップ装置、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、LBはレーザ光、Audioはオーディオ出力信号を示す。
【００３７】
この図１において、矢印はデータが主に流れる方向を示しており、また、図を簡略化するために、図１の各ブロックを制御するＣＰＵ１８には、矢印のみを図示し各ブロックとの接続を省略している。ＲＯＭ１７には、ＣＰＵ１８にて解読可能なコードで記述された制御プログラムが格納されている。なお、当該光ディスク装置の電源がオン状態になると、前記プログラムは不図示のメインメモリにロードされ、ＣＰＵ１８はそのプログラムに従って上記各部の動作を制御するとともに、制御に必要なデータ等を一時的にＲＡＭ１９に保存する。
【００３８】
当該光ディスク装置の構成及び動作は、次の通りである。光ディスク１は、回転機構としてのスピンドルモータ２によって回転駆動される。このスピンドルモータ２は、モータドライバ４とサーボ手段６により、線速度又は角速度が一定になるように制御される。この線速度又は角速度は、階段的に変更することが可能である。
【００３９】
光ピックアップ装置３は、例えば、図２に示すように、半導体レーザ（光源）３１から出射された光束は、光束分離素子としてのホログラム素子３２を通過した後、コリメートレンズ３３により平行光とされ、さらに対物レンズ３４を介して光ディスク１の記録面上に集光照射される。光ディスク１からの反射光は、対物レンズ３４、コリメートレンズ３３を再び通過した後、ホログラム素子３２にも入射し、このホログラム素子３２による回折により入射光と分離して受光素子３５に導き、この受光素子３５により受光することにより、光ディスク１上の情報を再生したり、各種信号を検出するようにしている。
【００４０】
なお、光ピックアップ装置３の構成例としては、図示例に限られないのはもちろんであり、図２に示すような構成においても、例えば、コリメートレンズ３３・対物レンズ３４間に光束を偏向させる偏向ミラー（立上げミラー）を介在させて光路を９０度曲げることで、光ピックアップ装置３の薄型化を図るようにしたものでもよい。
【００４１】
なお、図１，図２等には図示しないが、対物レンズ３４に対しては、トラックコイル及びフォーカスコイルと永久磁石とからなるトラックアクチュエータ及びフォーカスアクチュエータが搭載されており、後述するようなトラッキング信号やフォーカスエラー信号に基づいてこれらのトラックアクチュエータやフォーカスアクチュエータを動作させて対物レンズ３４を微小移動（ディスク半径方向、ディスク厚み方向）させることにより、トラッキング制御やフォーカス制御が行われるように構成されている。
【００４２】
また、特に図示しないが、光ピックアップ装置３は、シークモータによってスレッジ方向（ラジアル方向）への移動が可能である。これらのフォーカスアクチュエータ、トラックアクチュエータ、シークモータは、受光素子３５と内蔵のポジションセンサから得られる信号に基づいて、モータドライバ４とサーボ手段６とにより、レーザ光ＬＢのスポットが光ディスク１上の目的の場所に位置するように制御される。
【００４３】
そして、リード時には、光ピックアップ装置３によって得られた再生信号が、リードアンプ５で増幅されて２値化される。リードアンプ５内では主に最長信号振幅を規格化する過程と記録マーク信号を増幅する波形等価機能を経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４４】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００４５】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光ディスク１上にトラックの蛇行により刻まれているウォブル信号によって求められる。
【００４６】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００４７】
ＤＶＤ＋ＲＷ／＋Ｒなる光ディスク１におけるウォブル信号には、ＡＤＩＰ（ADress In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光ディスク１上の正確な位置へのデータの書込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。記録用に変調された信号はパルスジェネレータ２０において光ディスク１に適した記録光波形に変換され、レーザコントローラ９、光ピックアップ装置３を介して、光ディスク１に記録される。光ピックアップ装置３の効率の補正には記録光の回折光を直接に受光素子により測定し、そのパワー変動によりレーザコントローラ９の記録パワーを変更することが可能である。光ディスク１に対する記録パワーの補正方法として記録後発光時の反射光の変動から、光ディスク１に対する記録パワーの効率を測定しレーザコントローラ９の記録パワーを補正することが可能である。また、本実施の形態の場合、記録波形と記録パワーの補正方法であるため、アドレスの制御方法はランドプリピットやプリピットからアドレス情報を得る構成であっても良い。
【００４８】
図３はこの光ディスク装置を備えるＰＣ等の情報処理装置の概略図である。当該情報処理装置は、主制御装置２１、インターフェース２２、記録装置（ＨＤＤ）２３、入力装置２４及び表示装置２５などを備えている。主制御装置２１は、マイクロコンピュータ、メインメモリ（何れも不図示）などを含んで構成され、ホスト全体を制御する。インターフェース２２は、光ディスク装置２６との双方向の通信インターフェースであり、ＡＴＡＰＩ及びＳＣＳＩ等の標準インターフェースに準拠している。インターフェース２２は光ディスク装置２６のインターフェース１５と接続されている。なお、各インターフェース１５，２２間の接続形態は、通信ケーブル（例えばＳＣＳＩケーブル）などの通信線を用いたケーブル接続だけでなく、赤外線などを利用したワイヤレス接続であっても良い。
【００４９】
記録装置（ハード記録媒体ＨＤＤ）２３には、主制御装置２１のマイクロコンピュータで解読可能なコードで記述されたプログラムが格納されている。なお、当該情報処理装置の駆動電源がオン状態になると、上記プログラムは主制御装置２１のメインメモリにロードされる。表示装置２５は、例えばＣＲＴ、液晶ディスプレイ（ＬＣＤ）及びプラズマディスプレイパネル（ＰＤＰ）などの表示部（図示省略）を備え、主制御装置２１からの各種情報を表示する。入力装置２４は、例えばキーボード、マウス及びポインティングデバイスなどのうち少なくとも１つの入力媒体（図示省略）を備え、ユーザから入力された各種情報を主制御装置２１に通知する。なお、入力媒体からの情報はワイヤレス方式で入力されても良い。また、表示装置２５と入力装置２４とが一体化したものとして、例えばタッチパネル付きＣＲＴなどがある。
【００５０】
また、情報処理装置はオペレーティングシステム（以下「ＯＳ」という）を搭載している。そして、情報処理装置を構成する全てのデバイスはＯＳによって管理されているものとする。
【００５１】
このような構成において、光ピックアップ装置３中に含まれるホログラム素子３２及び受光素子３５の構成及び対応について図４を参照して説明する。なお、図２，図４において、光ディスク１のトラック方向に対応した方向を「トラック方向」、光ディスク１の半径方向又はシーク動作やトラックジャンプ動作により光ディスク１上の光スポットが移動する方向に対応した方向を「ラジアル方向」として示す。トラック方向とラジアル方向とは直交する。
【００５２】
まず、図４（ａ）はホログラム素子３２の分割構造と当該ホログラム素子３２上での光ディスク１からの反射光３６の様子を平面図的に示す模式図である。本実施の形態のホログラム素子３２は７本の分割線により、Ｃ〜Ｊで示す８つの光束分離領域に分割されている。なお、反射光３６のうち、斜線を施して示す部分（斜線部分）はプッシュプル信号成分を含む部分を示している。ここに、２つの光束分離領域Ｃ，Ｄはプッシュプル信号用の領域であり、光スポットが光ディスク１の情報トラック中心上にある状態（トラックずれなし）においてそのトラック方向に対応する方向に沿って、当該ホログラム素子３２により分離される反射光３６の光束中心Ｏを通る分割線３７ａにより２つに分割されている。また、残りの６つの光束分離領域Ｅ〜Ｊはフォーカスエラー信号用の領域であり、トラック方向に直交するラジアル方向に対応する方向に沿って分割形成されている。即ち、これらの６つの光束分離領域Ｅ〜Ｊはラジアル方向に並列に存在する。より詳細には、面積的には、Ｅ＝Ｊ，Ｆ＝Ｇ＝Ｈ＝Ｉ＝Ｅ／２なる短冊形状とされ、分割線３７ａを中心に対称となるように分割されている。
【００５３】
図４（ｂ）は受光素子３５の分割構造と当該受光素子３５上での光ディスク１からの反射光３６の様子を平面図的に示す模式図である。受光素子３５はフォーカス信号用受光領域ａ，ｂと、プッシュプル信号用受光領域ｃ，ｄとの４つの受光領域に分割されている。ここに、ホログラム素子３２の各光束分割領域Ｃ〜Ｊの回折により分離された光束（分離光）が到達する受光領域との関係は、
光束分割領域Ｅ〜Ｊからの分離光は、受光領域ａ，ｂの分割線３８上真上（図４（ｂ）中のｅ〜ｊに対応）
光束分割領域Ｃからの分離光は、受光領域ｃ
光束分割領域Ｄからの分離光は、受光領域ｄ
に各々受光されるように設定されている。
【００５４】
このような光束分割領域と受光領域との対応付けは、ホログラム素子３２において、各光束分割領域Ｃ〜Ｊが対応する受光領域ａ〜ｄの所望の位置にスポットを形成するように格子溝（格子ピッチ）を形成すればよい。このような格子溝の形成については、例えば特開２００３−３９３９４公報等により公知であるので、詳細は省略する。
【００５５】
いま、各受光領域ａ〜ｄから出力される信号を同じａ〜ｄの記号を用いて、フォーカスエラー信号ＦＥＳ，プッシュプル信号ＰＰＳ（トラッキング制御やウォブル信号（アドレス情報やディスク回転同期情報等を含む光ディスク１上の蛇行溝に基づく信号）を得るために使用される）、情報再生信号ＲＦＳの各信号を表現すると、
ＦＥＳ＝ａ−ｂ
ＰＰＳ＝ｃ−ｄ
ＲＦＳ＝ａ＋ｂ＋ｃ＋ｄ
と表すことができる。
【００５６】
図５は、このような各信号を得るためのリードアンプ５等の構成例を示す簡単な回路図である。即ち、各受光領域ａ〜ｄの電流信号はＩ／Ｖ変換器３９ａ〜３９ｄにより電圧信号に変換された後、所定の組合せの加算器、減算器等の演算器４０ａ〜４０ｅにより上記のような演算処理を経ることにより算出される。
【００５７】
本実施の形態によれば、フォーカスエラー信号用受光領域ａ，ｂに導かれるスポットｅ〜ｊは、分割構造により小面積化された光路分離領域Ｅ〜Ｊの回折による分離光であるので、図１５に示した単一の光路分離領域ＡＢの回折による分離光の場合よりもスポット径の大きなものとなる。フォーカスエラー信号用受光領域ａ，ｂではスポット径が大きくなるほどその受光感度が低下するので、結局、フォーカスエラー信号検出感度が図１５の場合よりも低下することが判る。図６は本実施の形態のホログラム素子３２と受光素子３５との組合せの場合のフォーカスずれに対するフォーカスエラー信号比の特性を示す特性図である。図１６の場合と比較してフォーカスエラー信号検出感度が低下しているのが判る。この結果、光ディスク１の厚みが変動したような場合でも正確なフォーカスエラー信号ＦＥＳの検出を行うことができ、かつ、多少の組付け誤差等があっても簡単にフォーカス外れを生ずることもない。
【００５８】
なお、ホログラム素子３２において、フォーカスエラー信号用の光束分離領域としては、図示例のような６分割に限らず、適宜分割数でよく、フォーカスエラー信号の検出感度の低下にのみ着目した場合であれば、最低限２分割されていればよい。また、本実施の形態では、ホログラム素子３２において、プッシュプル信号用の光束分離領域の割当て（＝Ｃ＋Ｄ）をフォーカスエラー信号用の光束分離領域の割当て（Ｅ＋…＋Ｊ）と均等になるようにしているが、必ずしも均等割当てにする必要はなく、大小関係を持つ割当てであってもよい（例えば、分割線３７ｂを光束中心で折り曲げた斜め線とする）。特に、フォーカスエラー信号用の光束分離領域の割当て（Ｅ＋…＋Ｊ）をより少なくすれば、フォーカスエラー信号の検出感度をさらに低下させることができるものの、感度が低すぎても、適正なフォーカスエラー信号の検出が困難となるので、分割数を含めて、バランスのとれたホログラム素子３２の設計を行うことが好ましい。
【００５９】
ホログラム素子３２に関する別の実施の形態を図７及び図８に基づいて説明する。本実施の形態では、図７（ａ）に示すように、フォーカスエラー信号用の光束分離領域をＥ〜Ｋとして７分割（奇数）したものである。この場合も、これらの光束分離領域Ｅ〜Ｋはトラック方向に直交するラジアル方向に対応する方向に沿って分割形成され、ラジアル方向に並列に存在する。また、分割線３７ａを中心に対称となるように分割されている。
【００６０】
ここに、ホログラム素子３２の各光束分割領域Ｃ〜Ｋの回折により分離された光束（分離光）が到達する受光領域との関係は、
光束分割領域Ｅ〜Ｋからの分離光は、受光領域ａ，ｂの分割線３８を中心に領域ａ寄り又は領域ｂより（図７（ｂ）中のｅ〜ｋに対応）
光束分割領域Ｃからの分離光は、受光領域ｃ
光束分割領域Ｄからの分離光は、受光領域ｄ
に各々受光されるように設定されている。
【００６１】
より詳細には、光束分割領域Ｅ〜Ｋのうち、隣接する領域による分離光は、フォーカス状態において分割線３８を中心に交互に同距離ずれた位置で受光されるように対応付けられている。ラジアル方向の配列との関係で説明すると、ラジアル方向に対称な領域毎に分割線３８に対して同一方向にずれるように設定されている。具体的には、領域Ｅ，Ｇ，Ｉ，Ｋに対応するスポットｅ，ｇ，ｉ，ｋは分割線３８よりも受光領域ａ寄りの位置、領域Ｆ，Ｊ並びに中央の領域Ｈに対応するスポットｆ，ｊ，ｈは分割線３８よりも受光領域ｂ寄りの位置に設定されている。なお、本実施の形態並びに以下の実施の形態において、「ａ寄り」「ｂ寄り」とは、図７（ｂ）等に示す如くスポットが完全に領域ａ又は領域ｂ中に位置する場合のみならず、分割線３８上にかかる状態であっても真上でなく、領域ａ，ｂ間で受光量に大小関係を生ずる状態を含む。
【００６２】
本実施の形態の場合も、フォーカスエラー信号ＦＥＳ，プッシュプル信号ＰＰＳ、情報再生信号ＲＦＳの各信号を表現すると、
ＦＥＳ＝ａ−ｂ
ＰＰＳ＝ｃ−ｄ
ＲＦＳ＝ａ＋ｂ＋ｃ＋ｄ
と表すことができる。
【００６３】
よって、基本的には、図４等の構成の場合と同様の効果を得ることができる。加えて、本実施の形態の場合、図７（ｂ）に示すような特殊な受光位置の割当てにより、プッシュプル信号がフォーカスエラー信号に及ぼす影響を最小限にすることもできる。例えば、分割線３７ａに対して対称位置に位置するスポットｆ，ｊは、光ディスク１をラジアル方向に移動する際、プッシュプル信号成分の影響で、ｆ＞ｊとなったり、逆に、ｆ＜ｊとなったりするが、これらのスポットｆ．ｊは受光素子３５において分割線３８に対して受光領域ｂ寄りの同じ位置に対応付けられているため、プッシュプル信号成分がフォーカスエラー信号にノイズとして現れる可能性は低い。同様に、分割線３７ａに対して対称位置に位置するスポットｅ，ｋは、光ディスク１をラジアル方向に移動する際、プッシュプル信号成分の影響で、ｅ＞ｋとなったり、逆に、ｅ＜ｋとなったりするが、これらのスポットｆ．ｊは受光素子３５において分割線３８に対して受光領域ａ寄りの同じ位置に対応付けられているため、プッシュプル信号成分がフォーカスエラー信号にノイズとして現れる可能性は低い。従って、これらのスポットの分割線３８に対するａ寄り，ｂ寄りのずれ量を適宜変更することにより、フォーカスエラー信号の検出感度を自由にコントロールし得ることが判る。
【００６４】
図８は本実施の形態のホログラム素子３２と受光素子３５との組合せの場合のフォーカスずれに対するフォーカスエラー信号比の特性を示す特性図である。この場合のフォーカスエラー信号はａ寄りにずれたスポットｅ，ｇ，ｉ，ｋとｂ寄りにずれたスポットｆ，ｈ，ｊとの各々のフォーカス特性の合成となる。図１６、さらには図６の場合と比較してフォーカスエラー信号検出感度が低下しているのが判る。この結果、光ディスク１の厚みが変動したような場合でも正確なフォーカスエラー信号ＦＥＳの検出を行うことができ、かつ、多少の組付け誤差等があっても簡単にフォーカス外れを生ずることもない。
【００６５】
ホログラム素子３２に関するさらに別の実施の形態を図９に基づいて説明する。本実施の形態では、図９（ａ）に示すように、フォーカスエラー信号用の複数の光束分離領域Ｅ〜Ｋを光束中心Ｏから放射状となるように分割形成したものである。この場合も、これらの光束分離領域Ｅ〜Ｋはトラック方向に直交するラジアル方向に対応する方向に沿って分割形成され、ラジアル方向に並列に存在する。また、分割線３７ａを中心に対称となるように分割されている。
【００６６】
このようなホログラム素子３２の各光束分割領域Ｃ〜Ｋの回折により分離された光束（分離光）が到達する受光領域との関係は、
光束分割領域Ｅ〜Ｋからの分離光は、受光領域ａ，ｂの分割線３８上真上（図９（ｂ）中のｅ〜ｋに対応）
光束分割領域Ｃからの分離光は、受光領域ｃ
光束分割領域Ｄからの分離光は、受光領域ｄ
に各々受光されるように設定されている。
【００６７】
本実施の形態の場合も、フォーカスエラー信号ＦＥＳ，プッシュプル信号ＰＰＳ、情報再生信号ＲＦＳの各信号を表現すると、
ＦＥＳ＝ａ−ｂ
ＰＰＳ＝ｃ−ｄ
ＲＦＳ＝ａ＋ｂ＋ｃ＋ｄ
と表すことができる。
【００６８】
よって、基本的には、図４等の構成の場合と同様の効果を得ることができる（図６は、本実施の形態の場合のホログラム素子３２と受光素子３５との組合せの場合のフォーカスずれに対するフォーカスエラー信号比の特性も示している）。加えて、本実施の形態の場合、フォーカスエラー信号用の光束分離領域Ｅ〜Ｋが光束中心Ｏから放射状に分割形成されているので、反射光３６の大きさが変動してもこれらの光束分離領域Ｅ〜Ｋに対しては均等に作用するため、反射光３６の大きさの影響を受けることなく、受光素子３５上のスポット径を大きくしてフォーカスエラー信号の検出感度の低下を図ることができる。
【００６９】
ホログラム素子３２に関する他の実施の形態を図１０に基づいて説明する。本実施の形態では、図１０（ａ）に示すように、フォーカスエラー信号用の光束分離領域をＥ〜Ｉとして５分割（奇数）したものである。この場合も、これらの光束分離領域Ｅ〜Ｉはトラック方向に直交するラジアル方向に対応する方向に沿って分割形成され、ラジアル方向に並列に存在する。また、分割線３７ａを中心に対称となるように分割されている。また、光束分離領域Ｅ，Ｆはプッシュプル信号成分を含む領域（斜線部分）をラジアル方向に２分し、光束分離領域Ｈ，Ｉはプッシュプル信号成分を含む領域（斜線部分）をラジアル方向に２分し、中央の光束分離領域Ｇはプッシュプル信号成分を含まない領域に対応するように分割設定されている。
【００７０】
ここに、ホログラム素子３２の各光束分割領域Ｃ〜Ｉの回折により分離された光束（分離光）が到達する受光領域との関係は、
光束分割領域Ｅ，Ｆ，Ｈ，Ｉからの分離光は、受光領域ａ，ｂの分割線３８を中心に領域ａ寄り又は領域ｂより（図１０（ｂ）中のｅ，ｆ，ｈ，ｉに対応）
中央の光束分割領域Ｇからの分離光は、受光領域ａ，ｂの分割線３８上真上（図１０（ｂ）中のｇに対応）
光束分割領域Ｃからの分離光は、受光領域ｃ
光束分割領域Ｄからの分離光は、受光領域ｄ
に各々受光されるように設定されている。
【００７１】
より詳細には、光束分割領域Ｅ〜Ｉのうち、隣接する領域による分離光は、フォーカス状態において分割線３８を中心に交互に同距離ずれた位置で受光されるように対応付けられている。ラジアル方向の配列との関係で説明すると、ラジアル方向に対称な領域毎に分割線３８に対して同一方向にずれるように設定されている。具体的には、領域Ｅ，Ｉに対応するスポットｅ，ｉは分割線３８よりも受光領域ｂ寄りの位置、領域Ｆ，Ｈに対応するスポットｆ，ｈは分割線３８よりも受光領域ａ寄りの位置に設定されている。
【００７２】
本実施の形態の場合も、フォーカスエラー信号ＦＥＳ，プッシュプル信号ＰＰＳ、情報再生信号ＲＦＳの各信号を表現すると、
ＦＥＳ＝ａ−ｂ
ＰＰＳ＝ｃ−ｄ
ＲＦＳ＝ａ＋ｂ＋ｃ＋ｄ
と表すことができる。
【００７３】
よって、基本的には、図４等の構成の場合と同様の効果を得ることができる。加えて、本実施の形態の場合、図１０（ｂ）に示すような特殊な受光位置の割当てにより、プッシュプル信号がフォーカスエラー信号に及ぼす影響を最小限にすることもできる。例えば、分割線３７ａに対して対称位置に位置するスポットｆ，ｈは、光ディスク１をラジアル方向に移動する際、プッシュプル信号成分の影響で、ｆ＞ｈとなったり、逆に、ｆ＜ｈとなったりするが、これらのスポットｆ．ｈは受光素子３５において分割線３８に対して受光領域ａ寄りの同じ位置に対応付けられているため、プッシュプル信号成分がフォーカスエラー信号にノイズとして現れる可能性は低い。同様に、分割線３７ａに対して対称位置に位置するスポットｅ，ｉは、光ディスク１をラジアル方向に移動する際、プッシュプル信号成分の影響で、ｅ＞ｉとなったり、逆に、ｅ＜ｉとなったりするが、これらのスポットｆ．ｉは受光素子３５において分割線３８に対して受光領域ｂ寄りの同じ位置に対応付けられているため、プッシュプル信号成分がフォーカスエラー信号にノイズとして現れる可能性は低い。従って、これらのスポットの分割線３８に対するａ寄り，ｂ寄りのずれ量を適宜変更することにより、フォーカスエラー信号の検出感度を自由にコントロールし得ることが判る。つまり、図７で説明した場合と同様の効果を得ることができるが、５分割という最小分割数で実現することができる。
【００７４】
図８は本実施の形態の場合のホログラム素子３２と受光素子３５との組合せの場合のフォーカスずれに対するフォーカスエラー信号比の特性も示している。この場合のフォーカスエラー信号はａ寄りにずれたスポットｆ，ｈとｂ寄りにずれたスポットｅ，ｉとａｂ中央に配したスポットｇの各々のフォーカス特性の合成となる。
【００７５】
本発明の別の実施の形態を図１１及び図１２に基づいて説明する。本実施の形態は、２つの記録層１ａ，１ｂを有する光ディスク１を対象とする場合への適用例を示す。
【００７６】
２つの記録層１ａ，１ｂを有する光ディスク１を対象とする場合において、例えば、対物レンズ３４に近い記録層１ａに合焦している時に、遠い側の記録層１ｂからの反射光、即ち、フレア光もあり、受光素子３５の各受光領域ａ〜ｄには記録層１ａからの本来の反射光３６のみならず、記録層１ｂからの反射光もフレア光として不均一に入射し、各種信号の検出に悪影響を及ぼすことがある。
【００７７】
そこで、本実施の形態では、例えば図７に示したようなホログラム素子３２の分割構成をベースとして、図１２（ａ）に示すように、中央の光束分離領域Ｈに関して光束中心Ｏ周りの反射光の入射を受け付ける範囲を含むように領域設定したものである。この場合の光束分離領域Ｈの光束中心Ｏ周りの領域形状は半円形状とされている。その半径は、記録層１ａへの合焦時に記録層１ｂからの反射光４１が当該ホログラム素子３２に入射する際のスポットの半径以上に設定される。また、当該光束分割領域Ｈからの分離光は、受光領域ａ，ｂの分割線３８上真上（図１２（ｂ）中のｈに対応）に対応付けられている。
【００７８】
この結果、対物レンズ３４から近い記録層１ａからの反射光３６がホログラム素子３２に入射する際のスポット径は、記録層１ｂからの反射光４１がホログラム素子３２に入射する際のスポット径よりも大きいことから、記録層１ａからの反射光３６は、全ての光束分離領域Ｃ〜Ｋに照射され、記録層１ｂからの反射光４１は光束分離領域Ｈのみに照射されることとなる。つまり、記録層１ｂからの反射光はホログラム素子３２の光束分離領域Ｈのみに照射されることにより、受光素子３５上では受光領域ａ，ｂの分割線３８上、即ち、受光領域ａ，ｂに均等に入射するため、フォーカスエラー信号ＦＥＳ＝ａ−ｂにおいて相殺され、フレア光の影響を受けないものとなる。
【００７９】
また、本実施の形態の場合、基本的には、図４等の構成の場合と同様の効果を維持できる（図８は、本実施の形態の場合のホログラム素子３２と受光素子３５との組合せの場合のフォーカスずれに対するフォーカスエラー信号比の特性も示している）。
【００８０】
なお、本実施の形態は、例えば、図４中の光束分離領域Ｇ，Ｈや、図１０中の光束分離領域Ｇ等についても、同様に適用してもよい。さらに、図９においても中央部のみを円形に切り出し、円形部からの回折光を受光領域ａ，ｂの分割線３８上真上に入射するようにしてもよい。
【００８１】
なお、前述した各実施の形態に関して、光ピックアップ装置３を構成する上で、半導体レーザ３１とホログラム素子３２と受光素子３５とを、例えば図１３に示すように、光源ユニット４２として一体化して構成してもよい。ちなみに、図１３に示す例は、メインビーム（０次光）と２つのサブビーム（±１次光）との３ビームを利用する３ビーム法への適用例を想定しており、半導体レーザ３１から出射された光を３ビームに分離するグレーティング４３が付加されている（前述した説明では、当該グレーティング４３は必須ではない）。グレーティング４３により分離された光はホログラム素子３２に達するが、ホログラム素子３２を透過する光（0次回折光）だけがコリメートレンズ３３により平行光となって対物レンズ３４に入射し、光ディスク１上に集光される。光ディスク１で反射された反射光は、メインビーム、サブビームとも、再び対物レンズ３４、コリメートレンズ３３を通過した後、ホログラム素子３２に入射する。そして、今度はこのホログラム素子３２で回折された光（１次回折光）だけが受光素子３５に入射し各種信号の生成に供される。また、このような３ビーム法による場合であれば、受光素子３５に関して、受光領域が４分割だけでなく、２つのフォーカスエラー信号用受光領域ａ，ｂに加えて、例えば、領域ｃ，ｄを各々３個ずつ、計６つのプッシュプル信号用受光領域を有するような分割構造のものを利用すればよい。
【００８２】
また、光束分離素子としては、ホログラム素子３２の場合が安価で済むが、ホログラム素子３２に限らず、屈折を利用したプリズム、レンズ等の光学素子であってもよい。特に、図４、図７、図１０等に示す構成例を参照すれば、分割線が全て直線でよいので、プリズム等を利用して実現することが可能である。
【図面の簡単な説明】
【００８３】
【図１】光ディスク装置について、その要部構成の一例を示す機能ブロック図である。
【図２】光ピックアップ装置の光学系構成例を示す概略図である。
【図３】光ディスク装置を備える情報処理装置の構成例を示す概略図である。
【図４】本発明の一実施の形態のホログラム素子及び受光素子を対応付けて示す模式図である。
【図５】信号の演算処理回路例を示す概略回路図である。
【図６】フォーカスエラー信号の特性図である。
【図７】ホログラム素子に関する別の実施の形態のホログラム素子及び受光素子を対応付けて示す模式図である。
【図８】フォーカスエラー信号の特性図である。
【図９】ホログラム素子に゜関するさらに別の実施の形態のホログラム素子及び受光素子を対応付けて示す模式図である。
【図１０】ホログラム素子に関する他の実施の形態のホログラム素子及び受光素子を対応付けて示す模式図である。
【図１１】本発明の別の実施の形態の光ピックアップ装置の光学系構成例を示す概略図である。
【図１２】そのホログラム素子及び受光素子を対応付けて示す模式図である。
【図１３】光源ユニットの構成例を示す概略断面図である。
【図１４】従来の光ピックアップ装置の光学系構成例を示す概略図である。
【図１５】そのホログラム素子及び受光素子を対応付けて示す模式図である。
【図１６】フォーカスエラー信号の特性図である。
【符号の説明】
【００８４】
１      光ディスク
３      光ピックアップ装置
３１      光源
３２      ホログラム素子、光束分離素子
３４      対物レンズ
３５      受光素子
３６      反射光
３７ａ    分割線
３８      分割線
４２      光源ユニット
Ｃ，Ｄ    プッシュプル信号用の光束分離領域
Ｅ〜Ｋ    フォーカスエラー信号用の光束分離領域
ａ，ｂ    フォーカスエラー信号用受光領域
ｃ，ｄ    プッシュプル信号用受光領域
【図１】
2005100478.tif 000003
【図２】
2005100478.tif 000004
【図３】
2005100478.tif 000005
【図４】
2005100478.tif 000006
【図５】
2005100478.tif 000007
【図６】
2005100478.tif 000008
【図７】
2005100478.tif 000009
【図８】
2005100478.tif 000010
【図９】
2005100478.tif 000011
【図１０】
2005100478.tif 000012
【図１１】
2005100478.tif 000013
【図１２】
2005100478.tif 000014
【図１３】
2005100478.tif 000015
【図１４】
2005100478.tif 000016
【図１５】
2005100478.tif 000017
【図１６】
2005100478.tif 000018